(57)【特許請求の範囲】
【請求項１】
周期的に配置される複数の光学要素と、前記光学要素を内包する筐体と、前記光学要素に対向する拡散板と、を含む発光装置の発光状態を示す画像を表示する画像表示装置であって、
隣接する前記光学要素同士の中心間距離、両端の前記光学要素の中心から前記筐体までの距離、前記光学要素と前記拡散板の間の距離、前記光学要素の数、前記筐体の幅寸法、及び、複数の前記光学要素各々の光学特性値の中の少なくとも一つの寸法設計値に関する入力値を取得する条件取得部と、
前記入力値に従って設計した場合の前記発光装置の発光状態にかかる視覚的な周期むらを示す画像を取得するモデル取得部と、
取得された複数の前記画像を表示する表示部と、
を含む画像表示装置。
【請求項２】
表示された前記画像の前記周期むらの視認性を表す視認性データの入力を受け付ける回答入力部と、
受け付けた前記視認性データを記憶する回答記憶部と、
前記回答記憶部を参照して、前記周期むらの視認性の程度を判定する判定部と、
をさらに含む請求項１に記載の画像表示装置。
【請求項３】
前記視認性の程度が所定以上または所定以下であると判定された前記画像にかかる前記寸法設計値を示す閾値情報を出力する出力部をさらに備える請求項２に記載の画像表示装置。
【請求項４】
前記モデル取得部が、前記光学要素の前記寸法設計値と前記発光装置の輝度とを対応づけて記憶している請求項１から３のいずれか一項に記載の画像表示装置。
【請求項５】
前記表示部が、前記周期むらを示す複数の前記画像と、前記周期むらのないクリア画像とを交互に表示する請求項１から４のいずれか一項に記載の画像表示装置。
【請求項６】
前記光学要素が、前記発光装置の光源、前記光学要素を透過する透過光を拡散もしくは集光する光学フィルム、または前記透過光に位相差を付与する位相差制御部材である請求項１から５のいずれか一項に記載の画像表示装置。
【請求項７】
前記光学要素の製造条件と、製造された前記光学要素に生じる前記寸法設計値と、を対応づけて記憶しておく条件記憶部をさらに備え、
前記条件取得部は、前記製造条件に関する入力を受け付け、前記条件記憶部を参照し、受け付けた前記製造条件に対応する前記寸法設計値を呼び出して前記入力値を取得する請求項１から６のいずれか一項に記載の画像表示装置。
【請求項８】
周期的に配置される複数の光学要素と、前記光学要素を内包する筐体と、前記光学要素に対向する拡散板と、を含む発光装置の発光状態を示す画像を表示する画像表示装置のためのコンピュータプログラムであって、
隣接する前記光学要素同士の中心間距離、両端の前記光学要素の中心から前記筐体までの距離、前記光学要素と前記拡散板の間の距離、前記光学要素の数、前記筐体の幅寸法、複数の前記光学要素各々の光学特性値の中の少なくとも一つに関する入力値を取得する条件取得処理と、
前記入力値に従って設計した場合の前記発光装置の発光状態にかかる視覚的な周期むらを示す画像を取得するモデル取得処理と、
取得された複数の前記画像を表示する表示処理と、
を前記画像表示装置に実行させることを特徴とするコンピュータプログラム。
【請求項９】
周期的に配置される複数の光学要素と、前記光学要素を内包する筐体と、前記光学要素に対向する拡散板と、を含む発光装置の発光状態を示す画像を表示する画像表示方法であって、
隣接する前記光学要素同士の中心間距離、両端の前記光学要素の中心から前記筐体までの距離、前記光学要素と前記拡散板の間の距離、前記光学要素の数、前記筐体の幅寸法、複数の前記光学要素各々の光学特性値の中の少なくとも一つに関する入力値を取得する条件取得ステップと、
前記入力値に従って設計した場合の前記発光装置の発光状態にかかる視覚的な周期むらを示す画像を取得するモデル取得ステップと、
取得された複数の前記画像を表示する表示ステップと、
を含む画像表示方法。
【発明の詳細な説明】
【技術分野】
【０００１】
本発明は、発光装置の画像を表示する画像表示装置およびそのためのコンピュータプログラム、ならびにかかる画像を表示する画像表示方法に関する。
【背景技術】
【０００２】
光学要素を含む発光装置の一例として、ディスプレイ装置や照明装置が提供されている。これらの発光装置においては、発光面内を均一な輝度で発光させることがしばしば求められる。
【０００３】
例えば、ディスプレイ装置の一例である液晶表示装置では、バックライトの発光を拡散層で表示面内に均一に拡散し、これをプリズムフィルムで法線方向に集光し、さらに液晶セルや位相差フィルム（位相差制御部材）で所定に位相差制御して発光状態を得る。このとき、バックライトやプリズムフィルム、位相差制御部材などの光学要素から出る光が表示面内で不均一になると、視覚的なむらが発生して問題となる。
【０００４】
これらの光学要素は、表示面内に一次元的または二次元的に複数個が周期的に配置される。このため、光学要素に起因する視覚的なむらは、周期むらとして看者に視認される。
【０００５】
ここで、視覚的な周期むらの程度を定量的に評価する方法が知られている。例えば、
特許文献１には、肉眼で認識できる特定の波長範囲に該当する周波数のパワースペクトルに対して、強調関数とよばれる定数を乗じて強調画像を得ることが記載されている。
また、特許文献２には、対象物の画像データから得たパワースペクトルに対して乗じる強調関数として、空間周波数の関数を用いることが記載されている。
【０００６】
非特許文献１では、平面上で正弦波的に濃淡が変化する濃淡画像を所定の視距離で目視観察した場合の、一般的な成人のコントラスト感度（Ｃｓ）と空間周波数［ｍｍ−１］との関係が報告されている。
【先行技術文献】
【特許文献】
【０００７】
【特許文献１】特開平６−２２２００２号公報
【特許文献２】特開平１０−９６６９６号公報
【非特許文献】
【０００８】
【非特許文献１】Michael J.Flynn :Visual Requirements for High-Fidelity Display, Advances in Digital Radiography, RSNA Categorical Course in Diagnostic Radiology Physics, 103-107, 2003.
【発明の概要】
【発明が解決しようとする課題】
【０００９】
しかしながら、上記の特許文献および非特許文献では、単純な正弦波的な周期むらの視認性が検討されているにすぎない。このため、発光装置に発生する周期むらの視認性を評価するためには、発光装置を実際に試作して目視検査を行う必要があった。
【００１０】
本発明は上記課題に鑑みてなされたものであり、発光装置を実際に試作することなく、これに発生すると予想される視覚的な周期むらを評価する技術を提供するものである。
【課題を解決するための手段】
【００１１】
本発明の画像表示装置は、周期的に配置される光学要素を含む発光装置の発光状態を示す画像を表示する画像表示装置であって、前記光学要素の寸法設計値の少なくとも一つに関する複数通りの入力値を取得する条件取得部と、前記光学要素の前記寸法設計値を前記入力値とした場合の前記発光装置の発光状態にかかる視覚的な周期むらを示す画像を取得するモデル取得部と、生成された複数の前記画像を表示する表示部と、を含む。
【００１２】
上記発明によれば、光学要素の寸法設計値を複数通りに変えた場合の発光装置の発光状態にかかる視覚的な周期むらを示す画像が取得され、表示される。このため、発光装置に生じる種々の条件の視覚的な周期むらを目視評価することが可能である。
【００１３】
本発明のコンピュータプログラムは、周期的に配置される光学要素を含む発光装置の発光状態を示す画像を表示する画像表示装置のためのコンピュータプログラムであって、前記光学要素の寸法設計値の少なくとも一つに関する複数通りの入力値を取得する条件取得処理と、前記光学要素の前記寸法設計値を前記入力値とした場合の前記発光装置の発光状態にかかる視覚的な周期むらを示す画像を生成するモデル取得処理と、生成された複数の前記画像を表示する表示処理と、を前記画像表示装置に実行させることを特徴とする。
【００１４】
本発明の画像表示方法は、周期的に配置される光学要素を含む発光装置の発光状態を示す画像を表示する画像表示方法であって、前記光学要素の寸法設計値の少なくとも一つに関する複数通りの入力値を取得する条件取得ステップと、前記光学要素の前記寸法設計値を前記入力値とした場合の前記発光装置の発光状態にかかる視覚的な周期むらを示す画像を生成するモデル取得ステップと、生成された複数の前記画像を表示する表示ステップと、を含む。
【発明の効果】
【００１５】
本発明によれば、光学要素の寸法設計値を複数通りに変えた場合に発光装置に発生することが予想される視覚的な周期むらを示す画像が表示される。これにより、発光装置を実際に試作することなく、周期むらの目視評価が良好となる光学要素の寸法設計値を知得することが可能である。
【図面の簡単な説明】
【００１６】
【図１】第一実施形態の画像表示装置を示す機能ブロック図である。
【図２】（ａ）は発光装置の一例を示す模式図であり、（ｂ）は個々の光学要素の点灯時の輝度分布と、発光装置全体の点灯時の輝度分布とのそれぞれ理論値を示すグラフである。
【図３】図２（ｂ）に対応する模擬画像を示す図である。
【図４】第一実施形態にかかる画像表示方法を示すフローチャートである。
【図５】第二実施形態の画像表示装置を示す機能ブロック図である。
【図６】第二実施形態にかかる画像表示方法を示すフローチャートである。
【図７】実施例１の計算結果２を示すグラフである。
【図８】実施例１の計算結果３を示すグラフである。
【図９】実施例１の計算結果４を示すグラフである。
【図１０】図７に対応する模擬画像を示す図である。
【図１１】図８に対応する模擬画像を示す図である。
【図１２】図９に対応する模擬画像を示す図である。
【図１３】人の輝度むらの視認性感度を示すグラフである。
【図１４】実施例２の計算結果１を示すグラフである。
【図１５】実施例２の計算結果２を示すグラフである。
【図１６】図１４に対応する模擬画像を示す図である。
【図１７】図１５に対応する模擬画像を示す図である。
【図１８】実施例３のモアレ周期を示すグラフである。
【発明を実施するための形態】
【００１７】
以下、本発明の実施形態を図面に基づいて説明する。尚、すべての図面において、同様な構成要素には同様の符号を付し、適宜説明を省略する。
【００１８】
なお、本発明の各種の構成要素は、個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
また、本発明の各種の構成要素は、その機能を実現するように形成されていればよく、たとえば、所定の機能を発揮する専用のハードウェア、所定の機能がコンピュータプログラムにより付与されたデータ処理装置、コンピュータプログラムによりデータ処理装置に実現された所定の機能、これらの任意の組み合わせ、等として実現することができる。
【００１９】
また、本発明の画像表示装置は、プログラムを読み取って対応する処理動作を実行できるように、ＣＰＵ（Central Processing Unit）、ＲＯＭ（Read Only Memory）、ＲＡＭ（Random Access Memory）、Ｉ／Ｆ（Interface）ユニット、等の汎用デバイスで構築されたハードウェア、所定の処理動作を実行するように構築された専用の論理回路、これらの組み合わせ、等として実施することができる。
なお、本発明において、プログラムに対応した各種処理動作をコンピュータ装置に実行させることは、各種デバイスをコンピュータ装置に動作制御させることも意味している。
【００２０】
また、各記憶部がデータを記憶するとは、画像表示装置が、一つまたは複数の記憶手段を用いて各記憶部の機能を有していることを意味するものであり、各データを画像表示装置が現に保有していることを必ずしも要しない。
【００２１】
また、本発明の画像表示方法は、複数の工程を順番に記載してあるが、その記載の順番は複数の工程を実行する順番を限定するものではない。
さらに、本発明の画像表示方法は、複数の工程が個々に相違するタイミングで実行されることに限定されない。このため、ある工程の実行中に他の工程が発生すること、ある工程の実行タイミングと他の工程の実行タイミングとの一部ないし全部が重複していること、等でもよい。
【００２２】
＜第一実施形態＞
はじめに、本実施形態の画像表示装置１００の概要を説明する。図１は本実施形態の画像表示装置１００を示す機能ブロック図である。
【００２３】
本実施形態の画像表示装置１００は、周期的に配置される光学要素２１０を含む発光装置２００の発光状態を示す画像（模擬画像１０）を表示する。
画像表示装置１００は、条件取得部２０、モデル取得部３０および表示部４０を含む。
条件取得部２０は、光学要素２１０の寸法設計値の少なくとも一つに関する複数通りの入力値を取得する。
モデル取得部３０は、光学要素２１０の寸法設計値を入力値とした場合の発光装置２００の発光状態にかかる視覚的な周期むらを示す画像（模擬画像１０）を取得する。
表示部４０は、取得された複数の画像（模擬画像１０）を表示する。
【００２４】
つぎに、本実施形態の画像表示装置１００をより詳細に説明する。
【００２５】
発光装置２００は、発光体を含有する装置であり、照明装置や、液晶表示装置などのディスプレイ装置が例示される。
【００２６】
光学要素２１０は、発光装置２００に周期的に配置される要素である。照明装置の場合には、ＬＥＤ（Light Emitting Diode）などの発光体が挙げられる。ディスプレイ装置の場合、多種の光学要素２１０を挙げることができる。
【００２７】
例えば、光学要素２１０として、バックライトなどの発光装置２００の発光体、光学要素２１０を透過する透過光を拡散もしくは集光する光学フィルム、または透過光に位相差を付与する液晶セルや位相差フィルムなどの位相差制御部材を挙げることができる。
【００２８】
発光装置２００の発光状態にかかる視覚的な周期むらとしては、輝度むらと色むらが挙げられる。このうち、輝度むらとしては、発光体の一次元的または二次元的な配置間隔に起因する発光むら（継ぎむら）、周期構造のある層同士の干渉によるモアレ縞、位相差制御部材の厚みむらに起因する位相差ずれ、などが例示される。
以下、本実施形態では発光装置２００の輝度むらについて説明する。
【００２９】
図２（ａ）は発光装置２００の一例を示す模式図である。本実施形態では種々の発光装置２００の発光状態を表す模擬画像１０を表示出力することができる。このうち、同図では冷陰極管（ＣＣＦＬ：Cold Cathode Fluorescent Lamp）を光学要素２１０とする、液晶表示装置（ＬＣＤ：Liquid Crystal Display）用直下方式のバックライトを示す。
【００３０】
本実施形態に用いる光学要素２１０は、図２（ａ）の紙面前後方向に延在する直線状をなしている。同図では、筐体２４０に収容された８本の光学要素２１０が等間隔で互いに並行に配置されている。光学要素２１０の並び方向（同図の左右方向）を発光装置２００の幅方向とする。
【００３１】
発光装置２００（バックライト）は、８本の光学要素２１０に対向して拡散板２２０を備えている。拡散板２２０は、光学要素２１０からそれぞれ放射された光を面内に均一化する部材である。
また、光学要素２１０を挟んで拡散板２２０の反対側には反射板２３０が設置されている。反射板２３０は、光学要素２１０から放射された光を拡散板２２０に向けて鏡面反射する部材である。
【００３２】
ここで、発光装置２００における発光特性に関するパラメータは多数存在する。単純のため光学要素２１０、拡散板２２０および反射板２３０自体の特性を不変とした場合、代表的なパラメータとして以下のものが挙げられる。
(i)隣接する光学要素２１０同士の中心間距離Ｌ１
(ii)両端の光学要素２１０の中心から筐体２４０までの端部距離Ｌ２
(iii)光学要素２１０と拡散板２２０との対向距離Ｌ３
(iv)光学要素２１０の本数Ｎ
(v)筐体２４０の幅寸法Ｘ
【００３３】
なお、Ｘ＝（Ｎ−１）×Ｌ１＋２×Ｌ２    式（１）
と表されることから、Ｘ、Ｎ、Ｌ１、Ｌ２のうちいずれか３つを決定することで、他の１つは上式（１）により決定される。
【００３４】
図２（ｂ）は、Ｎ＝８、Ｌ２＝Ｌ１／２とした場合の、個々の光学要素２１０（ＣＣＦＬ）の点灯時の輝度分布と、発光装置２００（バックライト：ＢＫＬ）全体の点灯時の輝度分布とのそれぞれ理論値を示すグラフである。縦軸は輝度［ｃｄ／ｍ２］を表している。ただし、簡単のため、本実施形態では反射板２３０の影響は無視している。
【００３５】
光学要素２１０の個々の輝度分布（以下、個別輝度分布という場合がある）は、光学要素２１０を中心とする単ピーク分布形状である。
発光装置２００の輝度分布（以下、全体輝度分布という場合がある）は、各光学要素２１０の個別輝度分布を合成したものである。全体輝度分布には周期的な輝度むらが生じている。また、全体輝度分布の幅方向の両端には、輝度の低い暗色部ＤＫがスロープ状に生じている。これは、端部距離Ｌ２が無視できない量であることに起因している。
【００３６】
本実施形態の画像表示装置１００は、図２（ｂ）に示す発光装置２００の発光状態にあたる全体輝度分布を模擬した模擬画像１０を取得して画像表示する。
【００３７】
図３は、図２（ｂ）に対応する模擬画像１０を示す図である。図３の左右方向は発光装置２００の幅方向に対応している。
図３に示すように、本実施形態の模擬画像１０には、８本の光学要素２１０に対応する明色部ＢＲと、幅方向両端の暗色部ＤＫとが存在し、左右方向に一次元的な濃淡むらが存在することが視認される。
【００３８】
図４は、本実施形態の画像表示装置１００による画像表示方法（以下、第一方法という場合がある）を示すフローチャートである。図１から図４を用いて第一方法を説明する。
【００３９】
第一方法は、周期的に配置される光学要素２１０を含む発光装置２００の発光状態を示す模擬画像１０を表示する方法に関し、条件取得ステップＳ２０、モデル取得ステップＳ３０および表示ステップＳ４０を含む。
条件取得ステップＳ２０では、光学要素２１０の寸法設計値の少なくとも一つに関する複数通りの入力値を取得する。
モデル取得ステップＳ３０では、光学要素２１０の寸法設計値を入力値とした場合の発光装置２００の発光状態にかかる視覚的な周期むらを示す模擬画像１０を取得する。
そして、表示ステップＳ４０では、取得された複数の模擬画像１０を表示する。
【００４０】
より具体的には、本実施形態の画像表示装置１００は、条件取得部２０にて、光学要素２１０の寸法設計値の少なくとも一つに関する複数通りの入力値を取得する（図４：ステップＳ２０）。
画像表示装置１００は、複数個の入力値を受け付けた後に、それぞれに対応する模擬画像１０を取得および表示してもよく、または一の入力値に対応する模擬画像１０を取得および表示した後に次の入力値を受け付けてもよい。
【００４１】
条件取得部２０が取得する入力値は、寸法設計値そのものでもよく、または寸法設計値と直接的または間接的に関係を有する他のパラメータでもよい。
ここで、寸法設計値に関する入力値を条件取得部２０が取得するとは種々の態様を含む。条件取得部２０は、入力値として、ユーザが手入力した数値を取得してもよく、または数値範囲を取得してもよい。このほか、寸法設計値に関する複数の選択肢のうちユーザが選択したものを入力値として取得してもよく、または他の演算処理の出力データもしくは記憶媒体に格納されたデータを取り込んでもよい。
【００４２】
なお、ここでいうユーザとは、本実施形態の画像表示装置１００の使用者であり、また発光装置２００の模擬画像１０の視認性の評価を行う被験者である。
【００４３】
入力値にかかる寸法設計値は、ユーザがパラメータスタディを希望する変数であり、また、発光装置２００の発光状態の直接的または間接的な変動要因となる、光学要素２１０の位置および数量に関するパラメータである。
設計寸法値としては、光学要素２１０自体の寸法のほか、発光装置２００と光学要素２１０との相対寸法、または光学要素２１０の数量などを挙げることができる。具体的には、上述の中心間距離（代表長）Ｌ１、端部距離Ｌ２、対向距離Ｌ３、本数（数量）Ｎ、幅寸法Ｘを例示することができる。
【００４４】
条件取得部２０は、寸法設計値に加えて、個別の光学要素２１０の輝度や光透過率（吸光率）、反射率などに例示される光学特性値に関するパラメータの入力をさらに受け付けてもよい。
【００４５】
条件取得部２０は、条件取得部２０が取得した入力値を、必要に応じて寸法設計値に換算する。換算表または換算式は、条件記憶部２２に記憶されている。
また、条件取得部２０は、寸法設計値に関する選択肢をユーザに提示し、その選択をユーザから受け付けることで入力値を取得してもよい。
【００４６】
モデル取得部３０は、入力値に対応する寸法設計値を条件取得部２０から取得する。そして、モデル取得部３０は、光学要素２１０における所定の箇所の寸法を当該寸法設計値をとした場合の発光装置２００の発光状態にかかる視覚的な周期むらを示す模擬画像１０（図３を参照）を取得する（図４：ステップＳ３０）。
【００４７】
ここで、モデル取得部３０が模擬画像１０を取得するとは、取得された寸法設計値に対応する模擬画像１０をモデル取得部３０が生成する場合と、記憶部３４に予め格納された多数の模擬画像１０のうち取得された寸法設計値に対応する模擬画像１０をモデル取得部３０が抽出する場合と、を含む。
以下、本実施形態では、モデル取得部３０が模擬画像１０を生成する場合を説明する。
【００４８】
図１に示すように、モデル取得部３０は演算部３２と記憶部３４とからなる。
モデル取得部３０の記憶部３４は、光学要素２１０の寸法設計値と発光装置２００の輝度とを対応づけて記憶している。
【００４９】
また、記憶部３４は、発光装置２００の少なくとも一態様にあたるノミナルケースについては、その全体輝度分布を表す模擬画像１０をモデル取得部３０が生成するために必要な寸法設計値や光学特性値などのパラメータを、予め記憶している。
これにより、ユーザは、パラメータスタディを希望する特定の寸法設計値に関する入力値を条件取得部２０に入力するだけで、模擬画像１０を得ることができる。
【００５０】
具体的には、記憶部３４は、図２（ａ）に示す発光装置２００に関し、中心間距離Ｌ１、端部距離Ｌ２、対向距離Ｌ３、本数Ｎおよび幅寸法Ｘ、ならびに光学要素２１０の個別輝度分布の波形情報などを記憶している。
【００５１】
そして、演算部３２は、ノミナルケースにおける寸法設計値を、ユーザから受け付けた寸法設計値に変更して、発光装置２００の全体輝度分布に対応する二次元的な濃淡画像を作成する。
具体的には、演算部３２は、条件取得部２０から取得した寸法設計値により変更されたパラメータに従って光学要素２１０の位置や本数を変更するなどして、図２（ｂ）における個別輝度分布を横軸方向または縦軸方向に再配置する。具体的には、中心間距離Ｌ１や端部距離Ｌ２を変更する場合、個別輝度分布の中心位置を同図の横軸方向に移動させる。また、光学要素２１０と拡散板２２０との対向距離Ｌ３を変更する場合は、個別輝度分布の波形を拡大もしくは縮小、または縦軸方向に移動させる。
【００５２】
つぎに、演算部３２は、再配置された個別輝度分布を互いに合成して全体輝度分布を生成する。
さらに、演算部３２は、生成された全体輝度分布に所定の係数を乗じて輝度（画素値）に換算し、これを二次元的な濃淡画像に変換することで模擬画像１０（図３を参照）を得る。
【００５３】
演算部３２は、パラメータスタディにかかる複数の寸法設計値ごとに、それぞれ模擬画像１０を生成する。生成された模擬画像１０は、表示制御部４２を通じて表示部４０で表示出力される（図４：ステップＳ４０）。
これにより、模擬画像１０を目視したユーザは、寸法設計値を如何なる値としたときに、発光装置２００の輝度むらが所定のレベル以下に低減されるかを知得することができる。
【００５４】
表示部４０は、模擬画像１０を表示するディスプレイ装置である。表示制御部４２は、生成された複数の模擬画像１０を、複数枚並べて同時に、または一枚ずつ順次に表示部４０で表示させる。条件取得部２０、モデル取得部３０および表示制御部４２はバス９０に接続されている。
【００５５】
本実施形態の表示部４０は、模擬画像１０を一枚ずつ順次に表示する。そしてさらに、表示部４０は、周期むらを示す複数の画像（模擬画像１０）と、周期むらのないクリア画像とを交互に表示する。
【００５６】
ここでいうクリア画像とは、目視可能な周期的なむらを含まない画像をいい、画面全体が例えば黒色などの単一色の画像のみに限られない。すなわち、クリア画像は、発光装置２００の筐体２４０（図２（ａ）を参照）を含む画像でもよい。
【００５７】
本実施形態のように、クリア画像と模擬画像１０とを交互に表示することにより、一の模擬画像１０を目視したユーザの視覚をいったんリフレッシュしてから次の模擬画像１０を表示することができる。このため、ユーザは、前の模擬画像１０の印象や残像に惑わされることなく、当該模擬画像１０の視認性を評価することができる。
【００５８】
また、本実施形態のコンピュータプログラムは、周期的に配置される光学要素２１０を含む発光装置２００の発光状態を示す模擬画像１０を表示する画像表示処理をコンピュータ装置（画像表示装置１００）に実行させるためのコンピュータプログラムである。
かかるコンピュータ装置が実行する画像表示処理は、光学要素２１０の寸法設計値の少なくとも一つに関する複数通りの入力値を取得する条件取得処理と、光学要素２１０の寸法設計値を入力値とした場合の発光装置２００の発光状態にかかる視覚的な周期むらを示す模擬画像１０を生成するモデル取得処理と、生成された複数の模擬画像１０を表示する表示処理と、を含む。
【００５９】
ここで、個々の発光体の放射輝度のように発光装置２００の全体輝度分布に対して直接的な相関をもつパラメータとは異なり、光学要素２１０の寸法設計値が発光装置２００の発光状態に与える影響度合いを人間が感覚的に把握することは困難である。後記の実施例で詳述するように、発光装置２００の輝度むらは光学要素２１０（冷陰極管）の本数Ｎを１増減しただけで顕著に変動するなど、予測が困難なためである。
【００６０】
これに対し、本実施形態の画像表示装置１００によれば、ユーザが特定した寸法設計値についてのパラメータスタディを、発光装置２００の発光状態を模擬した模擬画像１０によって行うことができる。このため、当該パラメータを種々に変更した実機を試作することなく、安価かつ迅速に輝度むらの程度を正確に目視評価することができる。
【００６１】
なお本実施形態については種々の変形を許容する。
たとえば、上記実施形態では、ユーザから取得した寸法設計値に基づいて光学要素２１０の個別輝度分布を再配置して、モデル取得部３０は発光装置２００の全体輝度分布を得ているが、本発明はこれに限られない。
【００６２】
そもそも、発光装置２００の全体輝度分布における輝度むらの周期は、その発生要因ごとに算出方法が異なる。例えば、上記実施形態のように発光体の境界領域における継ぎむらの場合は、光学要素２１０の中心間距離や格子長が周期むらとなる。これに対し、周期構造のある層同士の干渉によるモアレ縞の場合、各薄膜の周期の逆数によりモアレ周波数は決定される。また、位相差制御部材の厚みむらに起因する位相差ずれの場合、厚みむらの周期が、発光装置２００の輝度むらの周期と略一致する。
【００６３】
したがって、画像表示装置１００は、発光装置２００および光学要素２１０の種別、ならびに発光装置２００の輝度むらの種別の選択を、条件取得部２０でユーザより予め受け付けてもよい。
【００６４】
また、記憶部３４には、輝度むらの種別に応じて、光学要素２１０の寸法設計値および光学特性値と、発光装置２００の全体輝度分布と、を対応付ける関係情報が格納されている。関係情報は、関数でもよく、テーブル形式でもよく、または専用回路でもよい。そして、ユーザより受け付けた輝度むらの種別に対応して、演算部３２は、条件取得部２０または記憶部３４より取得した寸法設計値および光学特性値を用いて発光装置２００の全体輝度分布を算出し、これを模擬画像１０に変換してもよい。
【００６５】
そして、上述のように、本実施形態の画像表示装置１００では、寸法設計値を多様に変化させた場合の発光装置２００の発光状態をそれぞれ示す多数の模擬画像１０を予め算出し、これを記憶部３４に格納しておいてもよい。そして、モデル取得部３０の演算部３２は、条件取得部２０で取得した入力値を検索キーとして記憶部３４を検索し、該当する模擬画像１０を取得してもよい。
【００６６】
＜第二実施形態＞
図５は、本実施形態の画像表示装置１１０の機能ブロック図である。
【００６７】
本実施形態の画像表示装置１１０は、回答入力部５０、回答記憶部６０および判定部７０を含む点で第一実施形態の画像表示装置１００（図１を参照）と少なくとも相違する。
回答入力部５０は、表示部４０で表示された画像（模擬画像１０）の周期むらの視認性を表す視認性データＶＤの入力を受け付ける。
回答記憶部６０は、受け付けた視認性データＶＤを記憶する。
判定部７０は、回答記憶部６０を参照して、むらの視認性の程度を判定する。
回答入力部５０、回答記憶部６０および判定部７０はバス９０に接続されている。
【００６８】
図６は、本実施形態の画像表示装置１１０による画像処理方法（以下、本方法という場合がある）を示すフローチャートである。図５および図６を用いて本方法を説明する。
【００６９】
本実施形態の画像表示装置１１０は、第一モードと第二モードの二つのモードを備えており、まずユーザにモード選択を求める（図６：ステップＳ１０）。
第一モード（図６：ステップＳ１２）は、ユーザが指定した寸法設計値に従って発光装置２００の発光状態を示す輝度むらの模擬画像１０を取得して表示する方法であり、上述の第一方法（図４：ステップＳ２０〜Ｓ４０）に対応する。本実施形態では説明を省略する。
第二モード（図６：ステップＳ５０）は、表示された模擬画像１０の視認性データＶＤに基づいて、輝度むらが所定の視認性であると判定された模擬画像１０にかかる寸法設計値をユーザに出力する方法である。第二モードについて説明する。
【００７０】
条件取得ステップＳ５１、モデル取得ステップＳ５２および表示ステップＳ５３は、それぞれ図４のステップＳ２０〜Ｓ４０に相当する。
具体的には、ユーザが特定した寸法設計値を示す入力値を条件取得部２０は取得する（図６：ステップＳ５１）。モデル取得部３０は、寸法設計値に対応する発光装置２００の発光状態を示す模擬画像１０を生成または参照することにより取得する（図６：ステップＳ５２）。表示制御部４２は、取得された複数の模擬画像１０をモデル取得部３０から受信し、所定のタイミングで切り替えて表示部４０で表示出力させる（図６：ステップＳ５３）。
【００７１】
ユーザは、表示部４０で表示された模擬画像１０を目視し、その周期むら（輝度むら）の視認性に関する官能的な評価値を視認性データＶＤとして回答入力部５０に入力する（図６：ステップＳ５４）。
【００７２】
視認性データＶＤは、表示部４０に表示された模擬画像１０における輝度むらの視認性の程度をユーザが多段階で評価した評価結果である。回答入力部５０は、視認の可否を二択より選択的に受け付けてもよく、または輝度むらの目立ち度合いを三段階以上で選択的に受け付けてもよい。また、回答入力部５０は、輝度むらの目立ち度合いを示すスコア値をユーザより受け付けてもよい。スコア値は、例えば１０点満点などとしてもよい。
【００７３】
本実施形態の視認性データＶＤは、輝度むらの目立ち度合いが低い場合に、高いスコアを与えるよう設定されている。すなわち、模擬画像１０の輝度むらの評価を二段階とする場合、輝度むらが目視可能とユーザが感じた場合に視認性データＶＤ＝０、目視不可能と感じた場合に視認性データＶＤ＝１を与えるものとする。
【００７４】
回答記憶部６０は、視認性データＶＤと、当該模擬画像１０またはこれにかかる寸法設計値と、を対応付けて記憶する（図６：ステップＳ５５）。
【００７５】
つぎに、寸法設計値（パラメータ）の変更がさらにある場合（図６：ステップＳ５６：ＹＥＳ）、ステップＳ５２に戻って新たな模擬画像１０を生成する。
ここで、パラメータの変更がさらにある場合とは、種々のケースを含む。一例として、ステップＳ５１にて予め複数個の寸法設計値が入力されていた場合のほか、模擬画像１０を目視して視認性データＶＤを回答入力（図６：ステップＳ５５）したユーザが、当該寸法設計値または他の寸法設計値のさらなる変更を入力した場合が挙げられる。
【００７６】
パラメータの変更が終了した場合（図６：ステップＳ５６：ＮＯ）、判定部７０は回答記憶部６０に記憶された視認性データＶＤに基づいて、模擬画像１０の視認性の判定処理を行う（図６：ステップＳ５７）。かかる判定は、発光装置２００におけるパラメータスタディの結果を示すものである。
【００７７】
なお、判定部７０による判定に先立ち、模擬画像１０の目視判定および回答入力（図６：ステップＳ５５）は多数のユーザに対して行っておくことが好ましい。これにより、模擬画像１０の視認性に関する客観的な評価を得ることができる。
【００７８】
判定部７０による判定処理は種々の方法があるが、一例として、視認性データＶＤを寸法設計値ごとに平均して、所定の基準値と大小判定する方法を挙げる。より具体的な例として、複数人のユーザから回答された視認性データＶＤの平均スコア（最大１、最小０）が０．８以上である場合、すなわち当該輝度むらを５人中４人以上が目視できないと回答した場合、当該寸法設計値を視認不可と判定する。そして、視認性データＶＤの平均スコアが０．８未満である場合、すなわち当該輝度むらを、５人中１人を超えて目視できると回答した場合、当該寸法設計値を視認可能と判定する。
【００７９】
かかる判定を、パラメータスタディにかかる寸法設計値の数だけ行ったのち、結果を出力部７２で出力する（図６：ステップＳ５８）。
出力部７２による出力の態様は特に限定されない。例えば、模擬画像１０の輝度むらの視認性に関する判定結果（二段階または三段階以上）と、当該模擬画像１０にかかる寸法設計値と、を併せて出力する。これにより、ユーザは、発光装置２００の輝度むらが所定以下に抑えられる寸法設計値を知得することができる。かかる寸法設計値を採用することで、発光装置２００を作成した場合の光学的な品質が所望に実現されることとなり、発光装置２００の設計や品質管理などの工程において有用な情報が提供される。
【００８０】
また、本実施形態の出力部７２は、むらの視認性の程度が所定以上または所定以下であると判定された模擬画像１０にかかる寸法設計値を示す閾値情報を出力する。
【００８１】
ここで、閾値情報とは、複数段階に数値を変化させた寸法設計値のうち連続する２個において、対応する模擬画像１０の周期むらの視認性が視認可能または視認不可に反転した場合の、当該２個の寸法設計値のいずれかをいう。
【００８２】
かかる閾値情報を出力部７２が出力することにより、ユーザは、輝度むらの視認性の要求をちょうど満足する臨界の寸法設計値を知ることが可能であり、発光装置２００の設計上で有用な情報を得ることができる。
【００８３】
なお本実施形態に関しても種々の変形を許容する。
【００８４】
例えば、設計寸法値に関する入力値として、光学要素２１０の製造条件を用いてもよい。
すなわち、本変形例の条件記憶部２２は、光学要素２１０の製造条件と、製造された光学要素２１０に生じる寸法設計値と、を対応づけて記憶してもよい。
そして、条件取得部２０は、製造条件に関する入力を受け付け、条件記憶部２２を参照して、受け付けた製造条件に対応する寸法設計値を呼び出して入力値を取得してもよい。
【００８５】
ここで、光学要素２１０の製造条件としては、光学要素２１０の材料特性および成形条件を例示することができる。光学要素２１０を製造するための各種材料の種類、濃度もしくは組成比などの材料特性、または成形温度や成形速度などの成形条件に関する多様なパラメータと、成形される光学要素２１０の寸法設計値との対応関係を予め取得して条件記憶部２２に格納しておく。
【００８６】
そして、条件取得ステップＳ５１において、かかる製造条件に関するパラメータを条件取得部２０に入力する。条件取得部２０は、条件記憶部２２を参照して、受け付けたパラメータに基づいて寸法設計値を取得してモデル取得部３０に送信する。モデル取得部３０は、上述の方法にしたがってモデル取得ステップＳ５２を行えばよい。
【００８７】
すなわち、本変形例の画像表示方法は、光学要素２１０の製造条件と製造された光学要素２１０に生じる寸法設計値とを対応づけて記憶しておくステップと、製造条件に関する入力を受け付けるステップと、条件記憶部２２を参照し受け付けた製造条件に対応する寸法設計値を呼び出して入力値を取得するステップと、を含む。
【００８８】
他の変形例として、視認性データＶＤは、複数の観点で模擬画像１０の輝度むらを個別に評価したデータでもよい。例えば、ユーザは発光装置２００の全体的な輝度むらと、局所的な輝度むらとを、それぞれ個別に判定し、かかる判定結果を回答入力部５０は視認性データＶＤとして受け付けてもよい。すなわち、図３に示すように、模擬画像１０には暗色部ＤＫのように画像周縁に局所的に存在するむらの領域と、明色部ＢＲのように画像中央で全体的に濃淡変化するむらの領域とが含まれる場合がある。かかる場合、局所的なむらの視認性と、全体的なむらの視認性と、を視認性データＶＤにて個別に受け付けることで、発光装置２００の発光状態を判定部７０で多面的に評価することが可能となる。
【００８９】
なお、本方法では、モデル取得部３０による模擬画像１０の生成と、表示部４０による模擬画像１０の表示と、回答入力部５０による視認性データＶＤの取得とを逐次的に行ってからモデルを再生成する場合を例に説明したが、本発明はこれに限られない。複数通りの寸法設計値に対応する模擬画像１０を予め作成した後、表示部４０にて個別に表示して、ユーザの目視結果を回答入力部５０で受け付けてもよい。
【００９０】
＜実施例＞
以下、実施例を用いて本発明をより詳細に説明する。ただし、本発明は実施例に限定されるものではない。
【００９１】
（実施例１）
発光装置２００として図２（ａ）に示した構造のバックライト、光学要素２１０としてＣＣＦＬを設定した場合の実施例を以下に示す。この種の発光装置２００では、光学要素２１０（ＣＣＦＬ）の並び方向（図の左右方向）に、拡散板２２０上に輝度むらが発生することが知られている。そこで、光学要素２１０の中心間距離Ｌ１、端部距離Ｌ２および本数Ｎを変えて、拡散板２２０における輝度をできるだけ均一化することを試みた。
【００９２】
そこで、図２（ａ）の左右方向をＸ方向とし、実際のバックライトの輝度分布を模してシミュレーションを行った。ここでは、発光面積を３００×４００ｍｍとし、Ｘ方向を３００ｍｍとして計算し、簡単のため反射板２３０の影響を無視した。
【００９３】
図２（ｂ）は、第一実施形態にて説明した結果（計算結果１）であり、本数Ｎ＝８（等間隔）、端部距離Ｌ２＝中心間距離Ｌ１／２とした場合の結果である。
この結果では、発光装置２００（バックライト）の中央部には光学要素２１０の間隔（Ｌ１）で輝度むらがわずかに生じ、端部では輝度が低下していることが分かる。
【００９４】
図７は、本数Ｎ＝８（等間隔）、端部距離Ｌ２＝０とした場合の結果（計算結果２）を示すグラフである。
この結果では、端部の輝度低下は抑えられるものの、中央部の光学要素２１０の周期（Ｌ１）の輝度むらが図２（ｂ）よりも悪化したことが分かる。
【００９５】
図８は、本数Ｎ＝９（等間隔）、端部距離Ｌ２＝０とした場合の結果（計算結果３）を示すグラフである。
この結果では、図７に比較して中央部の光学要素２１０の周期（Ｌ１）の輝度むらが抑えられたことが分かる。
【００９６】
図９は、本数Ｎ＝１０（等間隔）、端部距離Ｌ２＝０とした場合の結果（計算結果４）を示すグラフである。
この結果では、中央部の光学要素２１０の周期（Ｌ１）の輝度むらがほぼ無くなったことが分かる。
【００９７】
図２（ｂ）および図７〜図９の計算結果に基づき、これと同じ輝度変動率になるように、高精度表示装置（１０ビットディスプレイ）に濃淡画像を表示し、１ｍの視距離から、被験者５人に視認してもらい、輝度むらが視認できるかを確認した。
ディスプレイに表示した輝度むらのモデル画像（模擬画像１０）を、図３および図１０〜図１２に示す。
【００９８】
ここで、一般的に、人の輝度むらの視認性感度は、画像の平均輝度が１０［ｃｄ／ｍ２］〜１０００［ｃｄ／ｍ２］の場合においては、ほとんど変化しないことが知られている（図１３および非特許文献１を参照）。
【００９９】
図１３は、縦軸を、視認性感度を表わすコントラスト閾値、横軸を、画像の平均輝度とした、視認性感度のグラフである。同図に示すように、平均輝度が１０［ｃｄ／ｍ２］以下では、平均輝度の低下に伴いコントラスト閾値が上昇して視認感度は悪くなるが、これよりも高輝度では、感度の変化がほぼ見られない。
【０１００】
そこで、図３および図１０〜図１２では、発光装置２００（バックライト）の輝度を平均輝度＝１００［ｃｄ／ｍ２］に換算し、輝度変動率が互いにほぼ同じ画像を表示している。
【０１０１】
被験者５人による視認性判定結果は以下の通りであった。
（１）図３の表示結果
（１−１）５人とも、端部の暗色部ＤＫの輝度むらが視認できた。
（１−２）中央部の明色部ＢＲの輝度むらについては、５人中４人が視認できた。
（２）図１０の表示結果
（２−１）５人とも、端部の暗色部ＤＫの輝度むらが視認できなかった。
（２−２）５人とも、中央部の明色部ＢＲの輝度むらについて視認できた。
（３）図１１の表示結果
（３−１）５人とも、端部の暗色部ＤＫの輝度むらが視認できなかった。
（３−２）中央部の明色部ＢＲの輝度むらについては、５人中３人が視認できた。
（４）図１２の表示結果
（４−１）５人とも、端部の暗色部ＤＫの輝度むらが視認できなかった。
（４−２）５人とも、中央部の明色部ＢＲの輝度むらについて視認できなかった。
【０１０２】
本実施例の表示結果とその視認性判定結果から、今回の計算に用いたＣＣＦＬと同じ輝度分布を持つバックライトでは、輝度均一性の観点から、ＣＣＦＬを９本以上、好ましくは１０本配置する必要があることが示唆された。また、端部距離Ｌ２をゼロに近づけることで、バックライトの両端における暗色部を無くすことができることが分かった。
【０１０３】
（実施例２）
発光装置２００として液晶テレビ用のバックライト、光学要素２１０としてタンデム型の導光体を設定した場合の実施例を以下に示す。タンデム型の導光体とは、面直方向に鍵型に屈曲した瓦状の導光体を互いに重ねたものである。そして、輝度むらの主原因となる導光部やＬＥＤを屈曲部に配置し、これを隣接する他の導光体の平面発光部に隠すことで、平面発光部のみを二次元格子状に平面配置することができる。しかしながら、このタンデム型に関しても、導光板の継ぎむらという大きな課題がある。
以下、平面発光部から導光部やＬＥＤに向かう方向をＹ方向、平面発光部同士の並び方向をＸ方向とする。
【０１０４】
図１４は、導光体の個数を１２００個、導光体のサイズを２５ｍｍ四方とした場合の、Ｘ方向の輝度変動を計算した結果（計算結果１）を示すグラフである。継ぎ目による輝度減少は２５ｍｍピッチとし、継ぎ目の輝度変動は２％と設定した。
【０１０５】
図１５は、導光体の個数を２４００個、導光体のサイズを１７．５ｍｍ四方とした場合の、Ｘ方向の輝度変動を計算した結果（計算結果２）を示すグラフである。継ぎ目による輝度減少は１７．５ｍｍピッチであり、継ぎ目の輝度変動は２％と設定した。
この結果を図１４と比較すると、導光体の個数が増加したことで平均輝度の向上が見られた。
【０１０６】
図１４、１５の計算結果に基づき、これと同じ輝度差になるように、高精度表示装置（１０ビットディスプレイ）に濃淡画像を表示した。１．５ｍの視距離から、これを被験者５人に視認してもらい、輝度むらが視認できるかを確認した。
ディスプレイに表示した輝度むらのモデル画像（模擬画像１０）を、図１６および図１７に示す。
【０１０７】
上述のように、表示画像の平均輝度が１０［ｃｄ／ｍ２］〜１０００［ｃｄ／ｍ２］のとき、人の視認感度はほぼ同じである。このため、本実施例では、図１４、１５の輝度レベルに対して１／３０の平均輝度となる画像（模擬画像１０）を生成および表示して、その視認性を確認した。
具体的には、図１６の平均輝度を７０［ｃｄ／ｍ２］、図１７の平均輝度を１３０［ｃｄ／ｍ２］とした。
【０１０８】
被験者５人による視認性判定結果は以下の通りであった。
（１）図１６の表示結果
５人とも、継ぎ目の輝度むらが視認できなかった。
（２）図１７の表示結果
５人とも、継ぎ目の輝度むらが視認できた。
【０１０９】
本実施例の表示結果とその視認性判定結果から、今回の計算に用いた輝度を持つバックライトの場合、サイズ２５ｍｍ四方の導光体を１２００個用いた場合の方が、サイズ１７．５ｍｍ四方の導光体を２４００個用いた場合よりも、継ぎ目むらが見えにくいことが確認できた。
【０１１０】
（実施例３）
発光装置２００として液晶表示装置、光学要素２１０として周期構造をもったフィルムを設定した場合の実施例を以下に示す。周期構造をもったフィルムとして、プリズムフィルムを一例として挙げる。
ここで、プリズムフィルムなどの周期構造をもったフィルムと、ＬＣＤパネルのピクセル構造との相互作用でモアレ縞が生じることがある。多くの場合、素子の構造は裸眼で見るには小さ過ぎるが、素子と素子との干渉パターンは、モアレ縞として簡単に見ることができる。なお、プリズムフィルムに限らず、周期性のある構造をもっていれば、どのようなフィルムでもモアレ縞は発生する。
【０１１１】
なお、ディスプレイ内にクロスされた２つのプリズムフィルムがある場合、互いに直交する２つのモアレパターンが生じる可能性がある。ＲＧＢのサブピクセルの並び方向を周期方向とするプリズムフィルムは、ＬＣＤパネルの縦ピッチ方向との相互作用からグレーの縞を発生させる。一方、これと直交する縦軸と平行のプリズムフィルムは、ＬＣＤパネルの横ピッチ方向との相互作用から、色のついた縞を発生させる。
【０１１２】
ここで、互いに積層されたプリズムフィルムとピクセルとの相互作用によるモアレ周波数Ｆｍおよびモアレ周期Ｐｍは、次式のように表わすことができる。ただし、ＰｐはＬＣＤパネルのピクセルピッチ、Ｐｆはプリズムフィルムのピッチ、ｍは自然数である。
【０１１３】
Ｆｍ＝ｍ／Ｐｐ−１／Ｐｆ    式（２）
Ｐｍ＝｜１／Ｆｍ｜    式（３）
【０１１４】
図１８に、ピクセルピッチＰｐ＝１５０μｍ、プリズムピッチＰｆ＝２０〜６０μｍとしたときのモアレ周期を示す。
【０１１５】
式（２）、（３）から、Ｐｐ＝ｍ・Ｐｆの場合は、モアレ周期が無限大に近づくことがわかる。つまり、ピクセルピッチがプリズムピッチの倍数に近くなるとき、モアレ周期が顕著に大きくなり、モアレが目立つ状態になる。
【０１１６】
本実施例では、モアレコントラストを測定や計算により予め求めておき、そのコントラストにおいて、式（３）で求めたモアレ周期のむらを有する模擬画像１０を生成し、これを高精度表示装置（１０ビットディスプレイ）に表示する。これにより、モアレによって発生するむらの視認性を、実際にパターンを重ねることなく判断することができるため、想定されるモアレ縞の視認性を確認することができる。
【０１１７】
本実施例では、ＬＣＤパネルのピクセルピッチＰｐを１５０μｍとし、プリズムフィルムのプリズムピッチＰｆを、（ａ）２５．５μｍ、（ｂ）２６．５μｍ、（ｃ）２７．５μｍ、（ｄ）２８．５μｍ、（ｅ）２９．５μｍとした。また、モアレにより発生する輝度差は、測定値に基づいて、ΔＴ＝５％とした。
このとき、モアレ周期Ｐｍの計算値は、それぞれ（ａ）１．２８ｍｍ、（ｂ）０．４２ｍｍ、（ｃ）０．３３ｍｍ、（ｄ）０．５７ｍｍ、（ｅ）１．７７ｍｍとなった。
【０１１８】
これに対応するむらを、正弦波形の輝度むらとして高精度表示装置（１０ビットディスプレイ）に表示し、０．５ｍの視距離から、被験者５人により視認可否を確認した。
【０１１９】
被験者５人による視認性判定結果は以下の通りであった。
（ａ）５人全員、輝度むらが見えた
（ｂ）５人全員、輝度むらが見えなかった
（ｃ）５人全員、輝度むらが見えなかった
（ｄ）５人中２人、輝度むらが見えた
（ｅ）５人全員、輝度むらが見えた
【０１２０】
このことから、本実施例の場合においては、モアレ縞が視認できないプリズムフィルムのプリズムパターンは、モアレ周期Ｐｍの値が０．４ｍｍ程度以下になるような、（ｂ）または（ｃ）のプリズムピッチＰｆにすることが好ましいと判断することができる。
【０１２１】
以上の実施例より、本発明によるむらの視認性判定技術の有用性と実現可能性が理解される。
以下、参考形態の例を付記する。
１．  周期的に配置される光学要素を含む発光装置の発光状態を示す画像を表示する画像表示装置であって、
前記光学要素の寸法設計値の少なくとも一つに関する複数通りの入力値を取得する条件取得部と、
前記光学要素の前記寸法設計値を前記入力値とした場合の前記発光装置の発光状態にかかる視覚的な周期むらを示す画像を取得するモデル取得部と、
生成された複数の前記画像を表示する表示部と、
を含む画像表示装置。
２．  表示された前記画像の前記周期むらの視認性を表す視認性データの入力を受け付ける回答入力部と、
受け付けた前記視認性データを記憶する回答記憶部と、
前記回答記憶部を参照して、前記むらの視認性の程度を判定する判定部と、
をさらに含む１に記載の画像表示装置。
３．  前記視認性の程度が所定以上または所定以下であると判定された前記画像にかかる前記寸法設計値を示す閾値情報を出力する出力部をさらに備える２に記載の画像表示装置。
４．  前記モデル取得部が、前記光学要素の前記寸法設計値と前記発光装置の輝度とを対応づけて記憶している１から３のいずれかに記載の画像表示装置。
５．  前記表示部が、前記周期むらを示す複数の前記画像と、周期むらのないクリア画像とを交互に表示する１から４のいずれかに記載の画像表示装置。
６．  前記光学要素が、前記発光装置の光源、前記光学要素を透過する透過光を拡散もしくは集光する光学フィルム、または前記透過光に位相差を付与する位相差制御部材である１から５のいずれかに記載の画像表示装置。
７．  前記光学要素の製造条件と、製造された前記光学要素に生じる前記寸法設計値と、を対応づけて記憶しておく条件記憶部をさらに備え、
前記条件取得部は、前記製造条件に関する入力を受け付け、前記条件記憶部を参照し、受け付けた前記製造条件に対応する前記寸法設計値を呼び出して前記入力値を取得する１から６のいずれかに記載の画像表示装置。
８．  周期的に配置される光学要素を含む発光装置の発光状態を示す画像を表示する画像表示装置のためのコンピュータプログラムであって、
前記光学要素の寸法設計値の少なくとも一つに関する複数通りの入力値を取得する条件取得処理と、
前記光学要素の前記寸法設計値を前記入力値とした場合の前記発光装置の発光状態にかかる視覚的な周期むらを示す画像を生成するモデル取得処理と、
生成された複数の前記画像を表示する表示処理と、
を前記画像表示装置に実行させることを特徴とするコンピュータプログラム。
９．  周期的に配置される光学要素を含む発光装置の発光状態を示す画像を表示する画像表示方法であって、
前記光学要素の寸法設計値の少なくとも一つに関する複数通りの入力値を取得する条件取得ステップと、
前記光学要素の前記寸法設計値を前記入力値とした場合の前記発光装置の発光状態にかかる視覚的な周期むらを示す画像を生成するモデル取得ステップと、
生成された複数の前記画像を表示する表示ステップと、
を含む画像表示方法。
【符号の説明】
【０１２２】
１０    模擬画像
２０    条件取得部
２２    条件記憶部
３０    モデル取得部
３２    演算部
３４    記憶部
４０    表示部
４２    表示制御部
５０    回答入力部
６０    回答記憶部
７０    判定部
７２    出力部
９０    バス
１００    画像表示装置
１１０    画像表示装置
２００    発光装置
２１０    光学要素
２２０    拡散板
２３０    反射板
２４０    筐体
【図１】
0005531695.tif 000002
【図２】
0005531695.tif 000003
【図４】
0005531695.tif 000004
【図５】
0005531695.tif 000005
【図６】
0005531695.tif 000006
【図７】
0005531695.tif 000007
【図８】
0005531695.tif 000008
【図９】
0005531695.tif 000009
【図１３】
0005531695.tif 000010
【図１４】
0005531695.tif 000011
【図１５】
0005531695.tif 000012
【図１８】
0005531695.tif 000013
【図３】
0005531695.tif 000014
【図１０】
0005531695.tif 000015
【図１１】
0005531695.tif 000016
【図１２】
0005531695.tif 000017
【図１６】
0005531695.tif 000018
【図１７】
0005531695.tif 000019